(57)【特許請求の範囲】
【請求項１】
第１のレンズ鏡筒と、
前記第１のレンズ鏡筒の光軸に直交する方向において前記第１のレンズ鏡筒に並んで配置された第２のレンズ鏡筒と、
前記第１のレンズ鏡筒の前記光軸に平行な面に取り付けられた被取付面部と光軸方向を向く基準面部とを有する基準用板金と、
前記第２のレンズ鏡筒の光軸に平行な面に取り付けられたベース面部と光軸方向を向き前記基準面部に前記光軸方向において離隔した状態で並んで位置された調整面部とを有する調整用板金と、
前記基準面部に対する前記調整面部の向きを変化させて前記第２のレンズ鏡筒の前記光軸の向きを調整する調整手段とを備え、
前記調整手段として、前記基準面部と前記調整面部を連結する複数のネジ部材と、前記基準面部と前記調整面部の間に配置され前記光軸方向において前記調整面部を前記基準面部から離隔する方向へ付勢する複数のバネ部材とを設け、
前記調整面部に、前記ネジ部材によって前記基準面部と固定された固定部と、前記ネジ部材によって前記基準面部と連結された第１の連結部と、前記ネジ部材によって前記基準面部と連結された第２の連結部とを設け、
前記第１の連結部と前記基準面部の間に前記バネ部材を配置し、
前記第２の連結部と前記基準面部の間に前記バネ部材を配置し、
前記固定部に締結された前記ネジ部材の中心と前記第１の連結部に締結された前記ネジ部材の中心とを結ぶ線分を第１の線分とし、
前記固定部に締結された前記ネジ部材の中心と前記第２の連結部に締結された前記ネジ部材の中心とを結ぶ線分を第２の線分としたときに、前記第１の線分と前記第２の線分が直交するようにした
撮像装置。
【請求項２】
前記第１の線分の長さと前記第２の線分の長さを同じにした
請求項１に記載の撮像装置。
【請求項３】
前記バネ部材として圧縮コイルバネを用い、
前記バネ部材に前記ネジ部材が挿通された
請求項１に記載の撮像装置。
【請求項４】
前記第２のレンズ鏡筒における前記固定部の周囲にスリット、切欠又は溝部を形成した
請求項１に記載の撮像装置。
【請求項５】
前記第２のレンズ鏡筒における前記第１の線分上若しくは前記第２の線分上又は前記第１の線分上と前記第２の線分上にスリット、切欠又は溝部を形成した
請求項１に記載の撮像装置。
【請求項６】
第１のレンズ鏡筒と、
前記第１のレンズ鏡筒の光軸に直交する方向において前記第１のレンズ鏡筒に並んで配置された第２のレンズ鏡筒と、
前記第１のレンズ鏡筒の前記光軸に平行な面に取り付けられた被取付面部と光軸方向を向く基準面部とを有する基準用板金と、
前記第２のレンズ鏡筒の光軸に平行な面に取り付けられたベース面部と光軸方向を向き前記基準面部に前記光軸方向において離隔した状態で並んで位置された調整面部とを有する調整用板金と、
前記基準面部に対する前記調整面部の向きを変化させて前記第２のレンズ鏡筒の前記光軸の向きを調整する調整手段とを備え、
前記調整手段として、前記基準面部と前記調整面部を連結する複数のネジ部材と、前記基準面部と前記調整面部の間に配置され前記基準面部と前記調整面部に挟持され挟持される方向における厚みがそれぞれ所定の厚みを有する複数のスペーサーとを設け、
前記調整面部に、前記ネジ部材によって前記基準面部と固定された固定部と、前記ネジ部材によって前記基準面部と連結された第１の連結部と、前記ネジ部材によって前記基準面部と連結された第２の連結部とを設け、
前記第１の連結部と前記基準面部の間に前記スペーサーを配置し、
前記第２の連結部と前記基準面部の間に前記スペーサーを配置し、
前記固定部に締結された前記ネジ部材の中心と前記第１の連結部に締結された前記ネジ部材の中心とを結ぶ線分を第１の線分とし、
前記固定部に締結された前記ネジ部材の中心と前記第２の連結部に締結された前記ネジ部材の中心とを結ぶ線分を第２の線分としたときに、前記第１の線分と前記第２の線分が直交するようにした
撮像装置。
【請求項７】
前記第１の線分の長さと前記第２の線分の長さを同じにした
請求項６に記載の撮像装置。
【請求項８】
前記第２のレンズ鏡筒における前記固定部の周囲にスリット、切欠又は溝部を形成した
請求項６に記載の撮像装置。
【請求項９】
前記第２のレンズ鏡筒における前記第１の線分上若しくは前記第２の線分上又は前記第１の線分上と前記第２の線分上にスリット、切欠又は溝部を形成した
請求項６に記載の撮像装置。
【発明の詳細な説明】
【技術分野】
【０００１】
本発明は撮像装置についての技術分野に関する。詳しくは、光軸に直交する方向において並んで配置された第１のレンズ鏡筒と第２のレンズ鏡筒の光軸を簡素な機構によって平行にするように調整して製造コストの高騰を来たすことなく画質の向上を図る技術分野に関する。
【背景技術】
【０００２】
ビデオカメラやスチルカメラ等の各種の撮像装置は、内部にレンズ等の光学系が配置されたレンズ鏡筒が設けられ、レンズ鏡筒の光学系を介して被写体の画像が取り込まれることにより撮影が行われる。
【０００３】
上記のような撮像装置において、近年、立体画像（３Ｄ画像）の撮影が可能なタイプが提案されている（例えば、特許文献１参照）。このような撮像装置には、二つのレンズ鏡筒が設けられ、各レンズ鏡筒に配置された各光学系を介してそれぞれ被写体の像を同時に取り込んで立体画像の撮影が行われるようにされている。
【０００４】
【特許文献１】特開２００１−３３９００号公報
【発明の開示】
【発明が解決しようとする課題】
【０００５】
ところが、上記のような立体画像の撮影が可能とされた撮像装置においては、二つのレンズ鏡筒の各光学系を介してそれぞれ被写体の像を同時に取り込んで立体画像の撮影が行われるため、双方のレンズ鏡筒の光軸を平行にする必要がある。
【０００６】
双方のレンズ鏡筒の光軸が平行にされていない場合には、生成される立体画像の質が低下するおそれがある。
【０００７】
従って、上記した撮像装置においては、双方のレンズ鏡筒の光軸を平行とするような光軸調整を行う必要があるが、光軸調整を簡素な調整機構によって行うことが製造コストの低減の観点から望ましい。
【０００８】
また、製造コストの低減を図るためには、二つのレンズ鏡筒の共通化を図ることが望ましい。
【０００９】
そこで、本発明撮像装置は、上記した問題点を克服し、第１のレンズ鏡筒と第２のレンズ鏡筒の光軸を簡素な機構によって平行にするように調整して製造コストの高騰を来たすことなく画質の向上を図ることを課題とする。
【課題を解決するための手段】
【００１０】
撮像装置は、上記した課題を解決するために、第１のレンズ鏡筒と、前記第１のレンズ鏡筒の光軸に直交する方向において前記第１のレンズ鏡筒に並んで配置された第２のレンズ鏡筒と、前記第１のレンズ鏡筒の前記光軸に平行な面に取り付けられた被取付面部と光軸方向を向く基準面部とを有する基準用板金と、前記第２のレンズ鏡筒の光軸に平行な面に取り付けられたベース面部と光軸方向を向き前記基準面部に前記光軸方向において離隔した状態で並んで位置された調整面部とを有する調整用板金と、前記基準面部に対する前記調整面部の向きを変化させて前記第２のレンズ鏡筒の前記光軸の向きを調整する調整手段とを設けたものである。
【００１１】
従って、撮像装置にあっては、調整手段によって基準面部に対する調整面部の向きが変化されて第１のレンズ鏡筒の光軸と第２のレンズ鏡筒の光軸が平行になるように調整される。
【００１２】
上記した撮像装置においては、さらに、前記調整手段として、前記基準面部と前記調整面部を連結する複数のネジ部材と、前記基準面部と前記調整面部の間に配置され前記光軸方向において前記調整面部を前記基準面部から離隔する方向へ付勢する複数のバネ部材とを設ける。
【００１３】
調整手段として、基準面部と調整面部を連結する複数のネジ部材と、調整面部を基準面部から離隔する方向へ付勢する複数のバネ部材とを設けることにより、調整手段の構成が簡素となる。
【００１４】
上記した撮像装置においては、さらに、前記調整面部に、前記ネジ部材によって前記基準面部と固定された固定部と、前記ネジ部材によって前記基準面部と連結された第１の連結部と、前記ネジ部材によって前記基準面部と連結された第２の連結部とを設け、前記第１の連結部と前記基準面部の間に前記バネ部材を配置し、前記第２の連結部と前記基準面部の間に前記バネ部材を配置する。
【００１５】
調整面部に固定部と第１の連結部と第２の連結部を設け、第１の連結部と基準面部の間にバネ部材を配置し、第２の連結部と基準面部の間にバネ部材を配置することにより、固定部と基準面部の間にバネ部材が配置されない。
【００１６】
上記した撮像装置においては、さらに、前記固定部に締結された前記ネジ部材の中心と前記第１の連結部に締結された前記ネジ部材の中心とを結ぶ線分を第１の線分とし、前記固定部に締結された前記ネジ部材の中心と前記第２の連結部に締結された前記ネジ部材の中心とを結ぶ線分を第２の線分としたときに、前記第１の線分と前記第２の線分が直交するようにする。
【００１７】
第１の線分と第２の線分が直交するようにすることにより、第１の方向における光軸調整が第２の方向における光軸調整に干渉せず、第２の方向における光軸調整が第１の方向における光軸調整に干渉しない。
【００１８】
上記した撮像装置においては、前記第１の線分の長さと前記第２の線分の長さを同じにすることが望ましい。
【００１９】
第１の線分の長さと第２の線分の長さを同じにすることにより、第１の方向における光軸調整と第２の方向における光軸調整とに関して調整量に対する光軸の変化量が同じになる。
【００２０】
上記した撮像装置においては、前記バネ部材として圧縮コイルバネを用い、前記バネ部材に前記ネジ部材が挿通されることが望ましい。
【００２１】
バネ部材として圧縮コイルバネを用い、バネ部材にネジ部材が挿通されることにより、バネ部材がネジ部材に保持される。
【００２２】
上記した撮像装置においては、前記第２のレンズ鏡筒における前記固定部の周囲にスリット、切欠又は溝部を形成することが望ましい。
【００２３】
第２のレンズ鏡筒における固定部の周囲にスリット、切欠又は溝部を形成することにより、光軸調整において調整面部が固定部を支点とするように屈曲され易くなる。
【００２４】
上記した撮像装置においては、前記第２のレンズ鏡筒における前記第１の線分上若しくは前記第２の線分上又は前記第１の線分上と前記第２の線分上にスリット、切欠又は溝部を形成することが望ましい。
【００２５】
第２のレンズ鏡筒における第１の線分上若しくは第２の線分上又は第１の線分上と第２の線分上にスリット、切欠又は溝部を形成することにより、調整面部の良好な屈曲性が確保される。
【００２６】
上記した撮像装置の比較例においては、前記調整面部に、前記ネジ部材によって前記基準面部と連結された第１の連結部と、前記ネジ部材によって前記基準面部と連結された第２の連結部と、前記ネジ部材によって前記基準面部と連結された第３の連結部とを設け、前記第１の連結部と前記基準面部の間に前記バネ部材を配置し、前記第２の連結部と前記基準面部の間に前記バネ部材を配置し、前記第３の連結部と前記基準面部の間に前記バネ部材を配置する。
【００２７】
調整面部に第１の連結部と第２の連結部と第３の連結部を設け、各連結部と基準面部の間にそれぞれバネ部材を配置することにより、光軸方向における第２のレンズ鏡筒の位置調整を行うことが可能となる。
【００２８】
本発明の別の撮像装置においては、第１のレンズ鏡筒と、前記第１のレンズ鏡筒の光軸に直交する方向において前記第１のレンズ鏡筒に並んで配置された第２のレンズ鏡筒と、前記第１のレンズ鏡筒の前記光軸に平行な面に取り付けられた被取付面部と光軸方向を向く基準面部とを有する基準用板金と、前記第２のレンズ鏡筒の光軸に平行な面に取り付けられたベース面部と光軸方向を向き前記基準面部に前記光軸方向において離隔した状態で並んで位置された調整面部とを有する調整用板金と、前記基準面部に対する前記調整面部の向きを変化させて前記第２のレンズ鏡筒の前記光軸の向きを調整する調整手段とを設け、前記調整手段として、前記基準面部と前記調整面部を連結する複数のネジ部材と、前記基準面部と前記調整面部の間に配置され前記基準面部と前記調整面部に挟持され挟持される方向における厚みがそれぞれ所定の厚みを有する複数のスペーサーとを設ける。
【００２９】
調整手段として、基準面部と調整面部を連結する複数のネジ部材と、基準面部と調整面部に挟持される複数のスペーサーとを設けることにより、調整手段の構成が簡素となる。
【００３０】
本発明の別の撮像装置においては、さらに、前記調整面部に、前記ネジ部材によって前記基準面部と固定された固定部と、前記ネジ部材によって前記基準面部と連結された第１の連結部と、前記ネジ部材によって前記基準面部と連結された第２の連結部とを設け、前記第１の連結部と前記基準面部の間に前記スペーサーを配置し、前記第２の連結部と前記基準面部の間に前記スペーサーを配置する。
【００３１】
調整面部に固定部と第１の連結部と第２の連結部を設け、第１の連結部と基準面部の間にスペーサーを配置し、第２の連結部と基準面部の間にスペーサーを配置することにより、固定部と基準面部の間にスペーサーが配置されない。
【００３２】
上記した撮像装置の比較例においては、前記調整面部に、前記ネジ部材によって前記基準面部と連結された第１の連結部と、前記ネジ部材によって前記基準面部と連結された第２の連結部と、前記ネジ部材によって前記基準面部と連結された第３の連結部とを設け、前記第１の連結部と前記基準面部の間に前記スペーサーを配置し、前記第２の連結部と前記基準面部の間に前記スペーサーを配置し、前記第３の連結部と前記基準面部の間に前記スペーサーを配置する。
【００３３】
調整面部に第１の連結部と第２の連結部と第３の連結部を設け、各連結部と基準面部の間にそれぞれスペーサーを配置することにより、光軸方向における第２のレンズ鏡筒の位置調整を行うことが可能となる。
【発明の効果】
【００３４】
本発明撮像装置は、第１のレンズ鏡筒と、前記第１のレンズ鏡筒の光軸に直交する方向において前記第１のレンズ鏡筒に並んで配置された第２のレンズ鏡筒と、前記第１のレンズ鏡筒の前記光軸に平行な面に取り付けられた被取付面部と光軸方向を向く基準面部とを有する基準用板金と、前記第２のレンズ鏡筒の光軸に平行な面に取り付けられたベース面部と光軸方向を向き前記基準面部に前記光軸方向において離隔した状態で並んで位置された調整面部とを有する調整用板金と、前記基準面部に対する前記調整面部の向きを変化させて前記第２のレンズ鏡筒の前記光軸の向きを調整する調整手段とを備えている。
【００３５】
従って、基準面部に対する調整面部の向きを変化させて第２のレンズ鏡筒の光軸の向きを調整するため、光軸調整を簡素な調整機構によって行うことができ、製造コストの高騰を来たすことなく画質の向上を図ることができる。
【００３６】
また、基準用板金と調整用板金がそれぞれ第１のレンズ鏡筒の光軸に平行な面と第２のレンズ鏡筒の光軸に平行な面とに取り付けられるため、第１のレンズ鏡筒と第２のレンズ鏡筒を同一のものを用いることができ、製造コストの低減を図ることができる。
【００３７】
本発明にあっては、さらに、前記調整手段として、前記基準面部と前記調整面部を連結する複数のネジ部材と、前記基準面部と前記調整面部の間に配置され前記光軸方向において前記調整面部を前記基準面部から離隔する方向へ付勢する複数のバネ部材とを設けている。
【００３８】
従って、簡素な構成によって第２のレンズ鏡筒の光軸調整を行うことができ、製造コストの高騰を来たすことなく第２のレンズ鏡筒の光軸調整を行うことができる。
【００３９】
本発明にあっては、さらに、前記調整面部に、前記ネジ部材によって前記基準面部と固定された固定部と、前記ネジ部材によって前記基準面部と連結された第１の連結部と、前記ネジ部材によって前記基準面部と連結された第２の連結部とを設け、前記第１の連結部と前記基準面部の間に前記バネ部材を配置し、前記第２の連結部と前記基準面部の間に前記バネ部材を配置している。
【００４０】
従って、調整面部の固定部と基準面部の間にバネ部材が配置されないため、部品点数を削減した上で第２のレンズ鏡筒の光軸調整を行うことができる。
【００４１】
本発明にあっては、さらに、前記固定部に締結された前記ネジ部材の中心と前記第１の連結部に締結された前記ネジ部材の中心とを結ぶ線分を第１の線分とし、前記固定部に締結された前記ネジ部材の中心と前記第２の連結部に締結された前記ネジ部材の中心とを結ぶ線分を第２の線分としたときに、前記第１の線分と前記第２の線分が直交するようにしている。
【００４２】
従って、第１の方向における光軸調整が第２の方向における光軸調整に干渉せず、第２の方向における光軸調整が第１の方向における光軸調整に干渉しないため、光軸調整における相互干渉を回避して光軸調整の精度の向上を図ることができる。
【００４３】
請求項２に記載した発明にあっては、前記第１の線分の長さと前記第２の線分の長さを同じにしている。
【００４４】
従って、第１の方向における光軸調整と第２の方向における光軸調整とに関して調整量に対する光軸の変化量が同じになり、光軸調整の容易化を図ることができる。
【００４５】
請求項３に記載した発明にあっては、前記バネ部材として圧縮コイルバネを用い、前記バネ部材に前記ネジ部材が挿通されている。
【００４６】
従って、落下等による衝撃等が生じた場合においてもバネ部材の脱落を防止することができる。
【００４７】
請求項４に記載した発明にあっては、前記第２のレンズ鏡筒における前記固定部の周囲にスリット、切欠又は溝部を形成している。
【００４８】
従って、光軸調整において調整面部が固定部を支点とするように屈曲され易くなり、光軸調整を容易に行うことができる。
【００４９】
請求項５に記載した発明にあっては、前記第２のレンズ鏡筒における前記第１の線分上若しくは前記第２の線分上又は前記第１の線分上と前記第２の線分上にスリット、切欠又は溝部を形成している。
【００５０】
従って、調整面部の良好な屈曲性を確保することができ、光軸調整の一層の容易化を図ることができる。
【００５１】
本発明の比較例にあっては、前記調整面部に、前記ネジ部材によって前記基準面部と連結された第１の連結部と、前記ネジ部材によって前記基準面部と連結された第２の連結部と、前記ネジ部材によって前記基準面部と連結された第３の連結部とを設け、前記第１の連結部と前記基準面部の間に前記バネ部材を配置し、前記第２の連結部と前記基準面部の間に前記バネ部材を配置し、前記第３の連結部と前記基準面部の間に前記バネ部材を配置している。
【００５２】
従って、光軸方向における第２のレンズ鏡筒の位置調整を行うことが可能であり、第１のレンズ鏡筒に対する第２のレンズ鏡筒の間の位置精度の向上を図ることができる。
【００５３】
本発明の比較例にあっては、前記第３の連結部に締結された前記ネジ部材の中心と前記第１の連結部に締結された前記ネジ部材の中心とを結ぶ線分を第１の線分とし、前記第３の連結部に締結された前記ネジ部材の中心と前記第２の連結部に締結された前記ネジ部材の中心とを結ぶ線分を第２の線分としたときに、前記第１の線分と前記第２の線分が直交するようにしている。
【００５４】
従って、第１の方向における光軸調整が第２の方向における光軸調整に干渉せず、第２の方向における光軸調整が第１の方向における光軸調整に干渉しないため、光軸調整における相互干渉を回避して光軸調整の精度の向上を図ることができる。
【００５５】
本発明の比較例にあっては、さらに、前記第１の線分の長さと前記第２の線分の長さを同じにしている。
【００５６】
従って、第１の方向における光軸調整と第２の方向における光軸調整とに関して調整量に対する光軸の変化量が同じになり、光軸調整の容易化を図ることができる。
【００５７】
別の本発明にあっては、前記調整手段として、前記基準面部と前記調整面部を連結する複数のネジ部材と、前記基準面部と前記調整面部の間に配置され前記基準面部と前記調整面部に挟持され挟持される方向における厚みがそれぞれ所定の厚みを有する複数のスペーサーとを設けている。
【００５８】
従って、簡素な構成によって第２のレンズ鏡筒の光軸調整を行うことができ、製造コストの高騰を来たすことなく第２のレンズ鏡筒の光軸調整を行うことができる。
【００５９】
別の本発明にあっては、さらに、前記調整面部に、前記ネジ部材によって前記基準面部と固定された固定部と、前記ネジ部材によって前記基準面部と連結された第１の連結部と、前記ネジ部材によって前記基準面部と連結された第２の連結部とを設け、前記第１の連結部と前記基準面部の間に前記スペーサーを配置し、前記第２の連結部と前記基準面部の間に前記スペーサーを配置している。
従って、調整面部の固定部と基準面部の間にスペーサーが配置されないため、部品点数を削減した上で第２のレンズ鏡筒の光軸調整を行うことができる。
【００６０】
別の本発明にあっては、さらに、前記固定部に締結された前記ネジ部材の中心と前記第１の連結部に締結された前記ネジ部材の中心とを結ぶ線分を第１の線分とし、前記固定部に締結された前記ネジ部材の中心と前記第２の連結部に締結された前記ネジ部材の中心とを結ぶ線分を第２の線分としたときに、前記第１の線分と前記第２の線分が直交するようにしている。
【００６１】
従って、第１の方向における光軸調整が第２の方向における光軸調整に干渉せず、第２の方向における光軸調整が第１の方向における光軸調整に干渉しないため、光軸調整における相互干渉を回避して光軸調整の精度の向上を図ることができる。
【００６２】
別の本発明にあっては、前記第１の線分の長さと前記第２の線分の長さを同じにすることが望ましい。
【００６３】
従って、第１の方向における光軸調整と第２の方向における光軸調整とに関して調整量に対する光軸の変化量が同じになり、光軸調整の容易化を図ることができる。
【００６４】
別の本発明にあっては、前記第２のレンズ鏡筒における前記固定部の周囲にスリット、切欠又は溝部を形成することが望ましい。
【００６５】
従って、光軸調整において調整面部が固定部を支点とするように屈曲され易くなり、光軸調整を容易に行うことができる。
【００６６】
別の本発明にあっては、前記第２のレンズ鏡筒における前記第１の線分上若しくは前記第２の線分上又は前記第１の線分上と前記第２の線分上にスリット、切欠又は溝部を形成することが望ましい。
【００６７】
従って、調整面部の良好な屈曲性を確保することができ、光軸調整の一層の容易化を図ることができる。
【００６８】
別の本発明の比較例にあっては、前記調整面部に、前記ネジ部材によって前記基準面部と連結された第１の連結部と、前記ネジ部材によって前記基準面部と連結された第２の連結部と、前記ネジ部材によって前記基準面部と連結された第３の連結部とを設け、前記第１の連結部と前記基準面部の間に前記スペーサーを配置し、前記第２の連結部と前記基準面部の間に前記スペーサーを配置し、前記第３の連結部と前記基準面部の間に前記スペーサーを配置している。
【００６９】
従って、光軸方向における第２のレンズ鏡筒の位置調整を行うことが可能であり、第１のレンズ鏡筒に対する第２のレンズ鏡筒の間の位置精度の向上を図ることができる。
【００７０】
別の本発明の比較例にあっては、前記第３の連結部に締結された前記ネジ部材の中心と前記第１の連結部に締結された前記ネジ部材の中心とを結ぶ線分を第１の線分とし、前記第３の連結部に締結された前記ネジ部材の中心と前記第２の連結部に締結された前記ネジ部材の中心とを結ぶ線分を第２の線分としたときに、前記第１の線分と前記第２の線分が直交するようにしている。
【００７１】
従って、第１の方向における光軸調整が第２の方向における光軸調整に干渉せず、第２の方向における光軸調整が第１の方向における光軸調整に干渉しないため、光軸調整における相互干渉を回避して光軸調整の精度の向上を図ることができる。
【００７２】
別の本発明の比較例にあっては、前記第１の線分の長さと前記第２の線分の長さを同じにしている。
【００７３】
従って、第１の方向における光軸調整と第２の方向における光軸調整とに関して調整量に対する光軸の変化量が同じになり、光軸調整の容易化を図ることができる。
【発明を実施するための最良の形態】
【００７４】
以下に、本発明を実施するための最良の形態を添付図面に従って説明する。
【００７５】
以下に示した最良の形態は、本発明撮像装置をビデオカメラに適用したものである。尚、本発明の適用範囲はビデオカメラに限られることはなく、例えば、スチルカメラや他の機器に組み込まれる各種の撮像装置に広く適用することができる。
【００７６】
以下の説明にあっては、ビデオカメラの撮影時において撮影者から見た方向で前後上下左右の方向を示すものとする。従って、被写体側が前方となり、撮影者側が後方となる。
【００７７】
尚、以下に示す前後上下左右の方向は説明の便宜上のものであり、本発明の実施に関しては、これらの方向に限定されることはない。
【００７８】
＜第１の実施の形態＞
［撮像装置の構成］
先ず、第１の実施の形態における撮像装置１の構成について説明する。
【００７９】
撮像装置１は装置本体２と装置本体２の前面に設けられた第１のレンズ鏡筒３及び第２のレンズ鏡筒４とを備えている（図１参照）。
【００８０】
装置本体２は筐体５の内部に所要の各部が配置されて成り、筐体５の外周面には操作部６、６、・・・が配置されている。操作部６、６、・・・としては、例えば、電源釦、録画釦、ズームスイッチ、モード切替摘子等が設けられている。
【００８１】
装置本体２の側面には表示パネル７が開閉自在に連結されている。表示パネル７は表示部７ａとして、例えば、液晶ディスプレイを有している。
【００８２】
第１のレンズ鏡筒３と第２のレンズ鏡筒４は、例えば、左右に並んで結合された状態でケース体８の内部に配置されている。ケース体８は軸方向が前後方向とされた筒状に形成され、後端部が装置本体２の前面に結合されている。
【００８３】
第１のレンズ鏡筒３と第２のレンズ鏡筒４としては同一の大きさ及び形状に形成された同一のものが用いられている。
【００８４】
ケース体８の前端部にはレンズバリア９が取り付けられている。レンズバリア９は左右に並ぶ開閉部材９ａ、９ａを有し、開閉部材９ａ、９ａが動作されることによりそれぞれ第１のレンズ鏡筒３と第２のレンズ鏡筒４が開閉される。
【００８５】
第１のレンズ鏡筒３と第２のレンズ鏡筒４は、図２乃至図４に示すように、それぞれ後方に開口された矩形の箱状に形成された鏡筒部１０、１１と鏡筒部１０、１１の内部に前後方向（光軸方向）に並んで配置された複数のレンズ等によって構成された光学系とを有している。
【００８６】
鏡筒部１０、１１はそれぞれ後方に開口された矩形の箱状の本体部１２、１３と本体部１２、１３の前面から前方へ突出されたレンズ保持部１４、１５とから成る。レンズ保持部１４、１５は円筒状に形成され、レンズ保持部１４、１５にはそれぞれ光学系の一部を構成するレンズ１６、１７とが保持されている。
【００８７】
第１のレンズ鏡筒３の鏡筒部１０における本体部１２の一方の側面１２ａ、例えば、右側面には基準用板金１８が取り付けられている。基準用板金１８は左右方向を向く被取付面部１９と被取付面部１９の前端部から右方へ突出された基準面部２０とから成る。
【００８８】
被取付面部１９は矩形状に形成され、前後方向における長さが側面１２ａの前後方向における長さより長くされ、前端部が本体部１２から前方へ突出された状態で側面１２ａに取り付けられている。
【００８９】
基準面部２０は、例えば、Ｌ字状に形成され、内周縁の一部が円弧状の切欠部２０ａとして形成されている。基準面部２０の上下左右の三つの角部にはそれぞれ連結用螺孔２０ｂ、２０ｂ、２０ｂが形成されている。
【００９０】
第２のレンズ鏡筒４の鏡筒部１１における本体部１３の一方の側面１３ａ、例えば、右側面には調整用板金２１が取り付けられている。調整用板金２１は左右方向を向くベース面部２２とベース面部２２の前端部から左方へ突出された調整面部２３とから成る。
【００９１】
ベース面部２２は矩形状に形成され、前後方向における長さが側面１３ａの前後方向における長さより長くされ、前端部が本体部１３から前方へ突出された状態で側面１３ａに取り付けられている。
【００９２】
調整面部２３は矩形状に形成され、前後に貫通された挿通孔２３ａを有している。調整面部２３には、例えば、右下の角部を除く三つの角部にそれぞれネジ挿通孔２３ｂ、２３ｂ、２３ｂが形成されている。調整面部２３の右側の角部は第１の連結部２４として設けられ、調整面部２３の左下の角部は第２の連結部２５として設けられ、調整面部２３の左上の角部は第３の連結部２６として設けられている。
【００９３】
第１の連結部２４に形成されたネジ挿通孔２３ｂの中心、即ち、このネジ挿通孔２３ｂに挿通される後述するネジ部材の中心と第３の連結部２６に形成されたネジ挿通孔２３ｂの中心、即ち、このネジ挿通孔２３ｂに挿通される後述するネジ部材の中心とを結ぶ線分は第１の線分Ｌ１として形成されている。第２の連結部２５に形成されたネジ挿通孔２３ｂの中心、即ち、このネジ挿通孔２３ｂに挿通される後述するネジ部材の中心と第３の連結部２６に形成されたネジ挿通孔２３ｂの中心、即ち、このネジ挿通孔２３ｂに挿通される後述するネジ部材の中心とを結ぶ線分は第２の線分Ｌ２として形成されている。第１の線分Ｌ１は左右に延び第２の線分Ｌ２は上下に延び、第１の線分Ｌ１と第２の線分Ｌ２は直交する。第１の線分Ｌ１と第２の線分Ｌ２は、例えば、同じ長さにされている。
【００９４】
調整面部２３は本体部１３の前面１３ｂの前方に前面１３ｂと離隔した状態で位置されている。調整面部２３の挿通孔２３ａには鏡筒部１１のレンズ保持部１５が挿入されている。
【００９５】
基準用板金１８の基準面部２０は第２のレンズ鏡筒４における本体部１３の前面１３ｂと調整用板金２１の調整面部２３との間に挿入される。
【００９６】
基準面部２０が本体部１３の前面１３ｂと調整用板金２１の調整面部２３との間に挿入された状態においては、基準面部２０の切欠部２０ａの内側に鏡筒部１１のレンズ保持部１５が位置される。また、基準面部２０が前面１３ｂと調整面部２３の間に挿入された状態においては、調整面部２３に形成されたネジ挿通孔２３ｂ、２３ｂ、２３ｂの真後ろにそれぞれ基準面部２０に形成された連結用螺孔２０ｂ、２０ｂ、２０ｂが位置される。
【００９７】
調整面部２３はネジ部材２７、２８、２９によって基準面部２０に連結される。ネジ部材２７、２８、２９はそれぞれ頭部２７ａ、２８ａ、２９ａと螺軸部２７ｂ、２８ｂ、２９ｂから成る。
【００９８】
ネジ部材２７、２８、２９はそれぞれ螺軸部２７ｂ、２８ｂ、２９ｂが調整面部２３のネジ挿通孔２３ｂ、２３ｂ、２３ｂを挿通されてそれぞれ基準面部２０の連結用螺孔２０ｂ、２０ｂ、２０ｂに螺合され、調整面部２３が基準面部２０に連結される。
【００９９】
ネジ部材２７、２８、２９の螺軸部２７ｂ、２８ｂ、２９ｂがそれぞれ連結用螺孔２０ｂ、２０ｂ、２０ｂに螺合されるときには、螺軸部２７ｂ、２８ｂ、２９ｂがそれぞれバネ部材３０、３１、３２に挿通され、バネ部材３０、３１、３２はそれぞれ基準面部２０と調整面部２３の間に配置される。バネ部材３０、３１、３２としては、例えば、圧縮コイルバネが用いられており、バネ部材３０、３１、３２はそれぞれ基準面部２０と調整面部２３の間において圧縮された状態で配置される。
【０１００】
従って、調整面部２３は基準面部２０に対してバネ部材３０、３１、３２の付勢力によって前方へ付勢される。
【０１０１】
上記したネジ部材２７、２８、２９とバネ部材３０、３１、３２は、第２のレンズ鏡筒４の以下に示す光軸の調整を行う調整手段として設けられている。但し、バネ部材３０、３１、３２は圧縮コイルバネに限られることはなく、調整面部２３を基準面部２０に付勢する弾性部材であればよく、バネ部材としては、例えば、板バネやゴム等の他の弾性部材を用いることが可能である。
【０１０２】
［第２のレンズ鏡筒の光軸調整］
以下に、撮像装置１における第２のレンズ鏡筒４の光軸調整について説明する（図５乃至図８参照）。
【０１０３】
撮像装置１においては、第１のレンズ鏡筒３は予め光軸方向が定められてケース体８の内部において固定されているが、第１のレンズ鏡筒３の光軸に対して第２のレンズ鏡筒４の光軸を平行にするために以下のような光軸調整が行われる。尚、このような光軸調整は製品（撮像装置１）の出荷前の調整工程において行われ、光軸調整が完了したときには第２のレンズ鏡筒４もケース体８の内部において固定される。
【０１０４】
先ず、第１の方向（Ｙａｗ方向）における光軸調整について説明する（図５及び図６参照）。
【０１０５】
第１の方向における光軸調整は調整面部２３の第１の連結部２４のネジ挿通孔２３ｂに挿通され連結用螺孔２０ｂに螺合されたネジ部材２７をドライバー等の図示しない調整用治具によって回転することにより行われる。
【０１０６】
例えば、ネジ部材２７を一方へ回転して連結用螺孔２０ｂに対して綴じ込んでいくと、図５に示すように、バネ部材３１の付勢力に抗して第１の連結部２４が基準面部２０に近付いていき、第１の連結部２４と基準面部２０の距離が小さくなる。第１の連結部２４と基準面部２０の距離が小さくなったときに、第２の連結部２５及び第３の連結部２６と基準面部２０の距離は変化しないため、調整用板金２１と第２のレンズ鏡筒４が一体になって第２の線分Ｌ２を基準として第１の方向において傾斜される。
【０１０７】
従って、第２のレンズ鏡筒４の調整前における光軸Ｐが調整後に光軸Ｐａ１とされる。
【０１０８】
逆に、ネジ部材２７を他方へ回転して連結用螺孔２０ｂに対して緩めていくと、図６に示すように、バネ部材３１の付勢力によって第１の連結部２４が基準面部２０から離隔していき、第１の連結部２４と基準面部２０の距離が大きくなる。第１の連結部２４と基準面部２０の距離が大きくなったときに、第２の連結部２５及び第３の連結部２６と基準面部２０の距離は変化しないため、調整用板金２１と第２のレンズ鏡筒４が一体になって第２の線分Ｌ２を基準として第１の方向において傾斜される。
【０１０９】
従って、第２のレンズ鏡筒４の調整前における光軸Ｐが調整後に光軸Ｐａ２とされる。
【０１１０】
次に、第２の方向（Ｐｉｔｃｈ方向）における光軸調整について説明する（図７及び図８参照）。
【０１１１】
第２の方向における光軸調整は調整面部２３の第２の連結部２５のネジ挿通孔２３ｂに挿通され連結用螺孔２０ｂに螺合されたネジ部材２８をドライバー等の調整用治具によって回転することにより行われる。
【０１１２】
例えば、ネジ部材２８を一方へ回転して連結用螺孔２０ｂに対して綴じ込んでいくと、図７に示すように、バネ部材３１の付勢力に抗して第２の連結部２５が基準面部２０に近付いていき、第２の連結部２５と基準面部２０の距離が小さくなる。第２の連結部２５と基準面部２０の距離が小さくなったときに、第１の連結部２４及び第３の連結部２６と基準面部２０の距離は変化しないため、調整用板金２１と第２のレンズ鏡筒４が一体になって第１の線分Ｌ１を基準として第２の方向において傾斜される。
【０１１３】
従って、第２のレンズ鏡筒４の調整前における光軸Ｐが調整後に光軸Ｐｂ１とされる。
【０１１４】
逆に、ネジ部材２８を他方へ回転して連結用螺孔２０ｂに対して緩めていくと、図８に示すように、バネ部材３１の付勢力によって第２の連結部２５が基準面部２０から離隔していき、第２の連結部２５と基準面部２０の距離が大きくなる。第２の連結部２５と基準面部２０の距離が大きくなったときに、第１の連結部２４及び第３の連結部２６と基準面部２０の距離は変化しないため、調整用板金２１と第２のレンズ鏡筒４が一体になって第１の線分Ｌ１を基準として第２の方向において傾斜される。
【０１１５】
従って、第２のレンズ鏡筒４の調整前における光軸Ｐが調整後に光軸Ｐｂ２とされる。
【０１１６】
上記のような第１の方向及び第２の方向における光軸調整を行うことにより、第２のレンズ鏡筒４の光軸Ｐを第１のレンズ鏡筒３の光軸に平行にすることができる。
【０１１７】
尚、撮像装置１においては、調整面部２３の第３の連結部２６と基準面部２０の間にバネ部材３２が配置されているため、第３の連結部２６のネジ挿通孔２３ｂに挿通され連結用螺孔２０ｂに螺合されたネジ部材２９をドライバー等の調整用治具によって回転することが可能である。従って、ネジ部材２７、２８、２９を回転することにより光軸方向における第２のレンズ鏡筒４の位置を調整することも可能である。
【０１１８】
このように撮像装置１にあっては、調整面部２３に第３の連結部２６を設け、第３の連結部２６と基準面部２０の間にバネ部材３２を配置しているため、光軸方向における第２のレンズ鏡筒４の位置調整を行うことが可能であり、第１のレンズ鏡筒３に対する第２のレンズ鏡筒４の間の位置精度の向上を図ることができる。
【０１１９】
［第１の実施の形態の変形例に係る撮像装置の構成］
以下に、撮像装置の変形例の構成について説明する（図９及び図１０参照）。
【０１２０】
尚、以下に示す変形例に係る撮像装置は、上記した撮像装置１と比較して、調整面部の第３の連結部が固定部として設けられていることのみが相違するため、撮像装置１と比較して異なる部分についてのみ詳細に説明をし、その他の部分については撮像装置１における同様の部分に付した符号と同じ符号を付して説明は省略する。
【０１２１】
第１のレンズ鏡筒３の鏡筒部１０における本体部１２の一方の側面１２ａ、例えば、右側面には基準用板金１８Ａが取り付けられている。基準用板金１８Ａは左右方向を向く被取付面部１９と被取付面部１９の前端部から右方へ突出された基準面部２０Ａとから成る。
【０１２２】
基準面部２０Ａは、例えば、Ｌ字状に形成され、内周縁の一部が円弧状の切欠部２０ａとして形成されている。基準面部２０Ａの右上と左下の二つの角部にはそれぞれ連結用螺孔２０ｂ、２０ｂが形成されている。基準面部２０Ａの左上の角部には前方へ突出された円筒状の固定用ボス３３が設けられている。固定用ボス３３の内周面には前後に貫通された固定用螺孔３３ａが形成されている。
【０１２３】
第２のレンズ鏡筒４の鏡筒部１１における本体部１３の一方の側面１３ａ、例えば、右側面には調整用板金２１Ａが取り付けられている。調整用板金２１Ａは左右方向を向くベース面部２２とベース面部２２の前端部から左方へ突出された調整面部２３Ａとから成る。
【０１２４】
調整面部２３Ａは矩形状に形成され、前後に貫通された挿通孔２３ａを有している。調整面部２３Ａには、例えば、右下の角部を除く三つの角部にそれぞれネジ挿通孔２３ｂ、２３ｂ、２３ｂが形成されている。調整面部２３Ａの右側の角部は第１の連結部２４として設けられ、調整面部２３Ａの下側の角部は第２の連結部２５として設けられ、調整面部２３Ａの左上の角部は固定部３４として設けられている。
【０１２５】
第１の連結部２４に形成されたネジ挿通孔２３ｂの中心、即ち、このネジ挿通孔２３ｂに挿通されるネジ部材２７の中心と固定部３４に形成されたネジ挿通孔２３ｂの中心、即ち、このネジ挿通孔２３ｂに挿通されるネジ部材２９の中心とを結ぶ線分は第１の線分Ｌ１として形成されている。第２の連結部２５に形成されたネジ挿通孔２３ｂの中心、即ち、このネジ挿通孔２３ｂに挿通されるネジ部材２８の中心と固定部３４に形成されたネジ挿通孔２３ｂの中心、即ち、このネジ挿通孔２３ｂに挿通されるネジ部材２９の中心とを結ぶ線分は第２の線分Ｌ２として形成されている。第１の線分Ｌ１は左右に延び第２の線分Ｌ２は上下に延び、第１の線分Ｌ１と第２の線分Ｌ２は直交する。第１の線分Ｌ１と第２の線分Ｌ２は、例えば、同じ長さにされている。
【０１２６】
調整面部２３Ａは本体部１３の前面１３ｂの前方に前面１３ｂと離隔した状態で位置されている。調整面部２３Ａの挿通孔２３ａには鏡筒部１１のレンズ保持部１５が挿入されている。
【０１２７】
基準用板金１８Ａの基準面部２０Ａは第２のレンズ鏡筒４における本体部１３の前面１３ｂと調整用板金２１Ａの調整面部２３Ａとの間に挿入される。
【０１２８】
基準面部２０Ａが本体部１３の前面１３ｂと調整用板金２１Ａの調整面部２３Ａとの間に挿入された状態においては、基準面部２０Ａの切欠部２０ａの内側に鏡筒部１１のレンズ保持部１５が位置される。また、基準面部２０Ａが前面１３ｂと調整面部２３Ａの間に挿入された状態においては、調整面部２３Ａに形成されたネジ挿通孔２３ｂ、２３ｂ、２３ｂの真後ろにそれぞれ基準面部２０Ａに形成された連結用螺孔２０ｂ、２０ｂと固定用孔３３ａが位置される。
【０１２９】
調整面部２３Ａはネジ部材２７、２８、２９によって基準面部２０Ａに連結される。
【０１３０】
ネジ部材２７、２８、２９はそれぞれ螺軸部２７ｂ、２８ｂが調整面部２３Ａのネジ挿通孔２３ｂ、２３ｂ、２３ｂを挿通されてそれぞれ基準面部２０Ａの連結用螺孔２０ｂ、２０ｂと固定用孔３３ａに螺合され、調整面部２３Ａが基準面部２０Ａに連結される。このとき調整面部２３Ａの後面が基準面部２０Ａに設けられた固定用ボス３３の前面に突き当てられ、固定部３４が基準面部２０Ａに固定される。
【０１３１】
ネジ部材２７、２８、２９の螺軸部２７ｂ、２８ｂ、２９ｂがそれぞれ連結用螺孔２０ｂ、２０ｂに螺合されるときには、螺軸部２７ｂ、２８ｂがそれぞれバネ部材３０、３１に挿通され、バネ部材３０、３１はそれぞれ基準面部２０Ａと調整面部２３Ａの間に配置される。バネ部材３０、３１としては、例えば、圧縮コイルバネが用いられており、バネ部材３０、３１はそれぞれ基準面部２０Ａと調整面部２３Ａの間において圧縮された状態で配置される。
【０１３２】
従って、調整面部２３Ａは基準面部２０Ａに対してバネ部材３０、３１の付勢力によって前方へ付勢される。
【０１３３】
［変形例に係る撮像装置における第２のレンズ鏡筒の光軸調整］
以下に、変形例に係る撮像装置における第２のレンズ鏡筒４の光軸調整について説明する（図１１乃至図１４参照）。
【０１３４】
先ず、第１の方向（Ｙａｗ方向）における光軸調整について説明する（図１１及び図１２参照）。
【０１３５】
第１の方向における光軸調整は調整面部２３Ａの第１の連結部２４のネジ挿通孔２３ｂに挿通され連結用螺孔２０ｂに螺合されたネジ部材２７をドライバー等の図示しない調整用治具によって回転することにより行われる。
【０１３６】
例えば、ネジ部材２７を一方へ回転して連結用螺孔２０ｂに対して綴じ込んでいくと、図１１に示すように、バネ部材３１の付勢力に抗して第１の連結部２４が基準面部２０Ａに近付いていき、第１の連結部２４と基準面部２０Ａの距離が小さくなる。第１の連結部２４と基準面部２０Ａの距離が小さくなったときに、第２の連結部２５及び固定部３４と基準面部２０Ａの距離は変化しないため、調整面部２３Ａが固定部３４を支点とするように屈曲され第２のレンズ鏡筒４が固定部３４を基準として第１の方向において傾斜される。
【０１３７】
従って、第２のレンズ鏡筒４の調整前における光軸Ｐが調整後に光軸Ｐａ１とされる。
【０１３８】
逆に、ネジ部材２７を他方へ回転して連結用螺孔２０ｂに対して緩めていくと、図１２に示すように、バネ部材３１の付勢力によって第１の連結部２４が基準面部２０Ａから離隔していき、第１の連結部２４と基準面部２０Ａの距離が大きくなる。第１の連結部２４と基準面部２０Ａの距離が大きくなったときに、第２の連結部２５及び固定部３４と基準面部２０Ａの距離は変化しないため、調整面部２３Ａが固定部３４を支点とするように屈曲され第２のレンズ鏡筒４が固定部３４を基準として第１の方向において傾斜される。
【０１３９】
従って、第２のレンズ鏡筒４の調整前における光軸Ｐが調整後に光軸Ｐａ２とされる。
【０１４０】
次に、第２の方向（Ｐｉｔｃｈ方向）における光軸調整について説明する（図１３及び図１４参照）。
【０１４１】
第２の方向における光軸調整は調整面部２３Ａの第２の連結部２５のネジ挿通孔２３ｂに挿通され連結用螺孔２０ｂに螺合されたネジ部材２８をドライバー等の調整用治具によって回転することにより行われる。
【０１４２】
例えば、ネジ部材２８を一方へ回転して連結用螺孔２０ｂに対して綴じ込んでいくと、図１３に示すように、バネ部材３１の付勢力に抗して第２の連結部２５が基準面部２０Ａに近付いていき、第２の連結部２５と基準面部２０Ａの距離が小さくなる。第２の連結部２５と基準面部２０Ａの距離が小さくなったときに、第１の連結部２４及び固定部３４と基準面部２０Ａの距離は変化しないため、調整面部２３Ａが固定部３４を支点とするように屈曲され第２のレンズ鏡筒４が固定部３４を基準として第１の方向において傾斜される。
【０１４３】
従って、第２のレンズ鏡筒４の調整前における光軸Ｐが調整後に光軸Ｐｂ１とされる。
【０１４４】
逆に、ネジ部材２８を他方へ回転して連結用螺孔２０ｂに対して緩めていくと、図１４に示すように、バネ部材３１の付勢力によって第２の連結部２５が基準面部２０Ａから離隔していき、第２の連結部２５と基準面部２０Ａの距離が大きくなる。第２の連結部２５と基準面部２０Ａの距離が大きくなったときに、第１の連結部２４及び固定部３４と基準面部２０Ａの距離は変化しないため、調整面部２３Ａが固定部３４を支点とするように屈曲され第２のレンズ鏡筒４が固定部３４を基準として第１の方向において傾斜される。
【０１４５】
従って、第２のレンズ鏡筒４の調整前における光軸Ｐが調整後に光軸Ｐｂ２とされる。
【０１４６】
上記のような第１の方向及び第２の方向における光軸調整を行うことにより、第２のレンズ鏡筒４の光軸Ｐを第１のレンズ鏡筒３の光軸に平行にすることができる。
【０１４７】
変形例に係る撮像装置においては、上記したように、調整面部２３Ａの固定部３４と基準面部２０Ａの間にバネ部材が配置されないため、部品点数を削減した上で第２のレンズ鏡筒４の光軸調整を行うことができる。
【０１４８】
尚、変形例に係る撮像装置においては、図１５に示すように、調整用板金２１Ａにおける調整面部２３Ａの固定部３４の周囲に、スリット２３ｃや切欠２３ｄを形成してもよい。
【０１４９】
固定部３４の周囲にスリット２３ｃや切欠２３ｄを形成することにより、光軸調整において調整面部２３Ａが固定部３４を支点とするように屈曲され易くなり、光軸調整を容易に行うことができる。
【０１５０】
また、固定部３４の周囲に形成されるスリット２３ｃや切欠２３ｄは、第１の線分Ｌ１又は第２の線分Ｌ２上に形成されることが望ましい。
【０１５１】
調整面部２３Ａの屈曲方向は第１の方向又は第２の方向であるため、スリット２３ｃや切欠２３ｄが第１の線分Ｌ１又は第２の線分Ｌ２上に形成されることにより、調整面部２３Ａの良好な屈曲性を確保することができ、光軸調整の一層の容易化を図ることができる。
【０１５２】
尚、固定部３４の周囲には、例えば、スリット２３ｃや切欠２３ｄに代えて調整面部２３Ａの屈曲が行われ易くなるように、調整面部２３Ａの一部の厚みを薄くするための溝部を形成してもよい。
【０１５３】
［第１の実施の形態における撮像装置の効果］
上記した第１の実施の形態においては、調整手段として複数のネジ部材２７、２８、２９と複数のバネ部材３０、３１、３２とを設けている。
【０１５４】
従って、簡素な構成によって第２のレンズ鏡筒４の光軸調整を行うことができ、製造コストの高騰を来たすことなく第２のレンズ鏡筒４の光軸調整を行うことができる。
【０１５５】
また、基準面部２０と調整面部２３の間にバネ部材３０、３１、３２が配置されているため、撮像装置１の落下等による衝撃の発生時にバネ部材３０、３１、３２によって衝撃が吸収され、各部の位置ずれや変形を防止することができる。
【０１５６】
また、バネ部材３０、３１、３２にそれぞれネジ部材２７、２８、２９が挿通されるため、例えば、落下等による衝撃等が生じた場合においてもバネ部材３０、３１、３２の脱落を防止することができる。
【０１５７】
＜第２の実施の形態＞
［撮像装置の構成］
以下に、第２の実施の形態における撮像装置の構成について説明する（図１６乃至図１８参照）。
【０１５８】
尚、以下に示す第２の実施の形態における撮像装置は、上記した撮像装置１と比較して、光軸の調整を行う調整手段としてネジ部材とスペーサーが用いられていることのみが相違するため、撮像装置１と比較して異なる部分についてのみ詳細に説明をし、その他の部分については撮像装置１における同様の部分に付した符号と同じ符号を付して説明は省略する。
【０１５９】
第２の実施の形態における撮像装置においては、光軸の調整を行う調整手段としてネジ部材２７、２８、２９とスペーサー３５、３６、３７が用いられている。スペーサー３５、３６、３７は弾性変形し難い硬質な材料によって、例えば、略Ｕ字状に形成されている。
【０１６０】
スペーサー３５、３６、３７はそれぞれ前後方向における厚みが様々なものが用意されており、必要に応じた厚みを有するものが選択されて調整手段として用いられる。
【０１６１】
調整面部２３はネジ部材２７、２８、２９によって基準面部２０に連結される。
【０１６２】
ネジ部材２７、２８、２９の螺軸部２７ｂ、２８ｂ、２９ｂがそれぞれ連結用螺孔２０ｂ、２０ｂ、２０ｂに螺合されるときには、螺軸部２７ｂ、２８ｂ、２９ｂがそれぞれスペーサー３５、３６、３７に挿通され、スペーサー３５、３６、３７はそれぞれ基準面部２０と調整面部２３の間に配置される。
【０１６３】
［第２のレンズ鏡筒の光軸調整］
以下に、第２の実施の形態における撮像装置における第２のレンズ鏡筒４の光軸調整について説明する。
【０１６４】
先ず、第１の方向（Ｙａｗ方向）における光軸調整について説明する。
【０１６５】
第１の方向における光軸調整は所望の厚みを有するスペーサー３５を第１の連結部２４と基準面部２０の間に配置することにより行われる。
【０１６６】
例えば、第３の連結部２６と基準面部２０の間に配置されるスペーサー３７の厚み及び第２の連結部２５と基準面部２０の間に配置されるスペーサー３６の厚みより薄い厚みを有するスペーサー３５を第１の連結部２４と基準面部２０の間に配置すると、第３の連結部２６と基準面部２０の距離及び第２の連結部２５と基準面部２０の距離に対して第１の連結部２４と基準面部２０の距離が小さくなる。第１の連結部２４と基準面部２０の距離が小さくなったときに、第２の連結部２５及び第３の連結部２６と基準面部２０の距離は変化しないため、調整面部２３が第２の線分Ｌ２を支点とするように屈曲され第２のレンズ鏡筒４が第２の線分Ｌ２を基準として第１の方向において傾斜される。
【０１６７】
逆に、第３の連結部２６と基準面部２０の間に配置されるスペーサー３７の厚み及び第２の連結部２５と基準面部２０の間に配置されるスペーサー３６の厚みより厚い厚みを有するスペーサー３５を第１の連結部２４と基準面部２０の間に配置すると、第３の連結部２６と基準面部２０の距離及び第２の連結部２５と基準面部２０の距離に対して第１の連結部２４と基準面部２０の距離が大きくなる。第１の連結部２４と基準面部２０の距離が大きくなったときに、第２の連結部２５及び第３の連結部２６と基準面部２０の距離は変化しないため、調整面部２３が第２の線分Ｌ２を支点とするように屈曲され第２のレンズ鏡筒４が第２の線分Ｌ２を基準として第１の方向において傾斜される。
【０１６８】
次に、第２の方向（Ｐｉｔｃｈ方向）における光軸調整について説明する。
【０１６９】
第２の方向における光軸調整は所望の厚みを有するスペーサー３６を第２の連結部２５と基準面部２０の間に配置することにより行われる。
【０１７０】
例えば、第３の連結部２６と基準面部２０の間に配置されるスペーサー３７の厚み及び第１の連結部２４と基準面部２０の間に配置されるスペーサー３５の厚みより薄い厚みを有するスペーサー３６を第２の連結部２５と基準面部２０の間に配置すると、第３の連結部２６と基準面部２０の距離及び第１の連結部２４と基準面部２０の距離に対して第２の連結部２５と基準面部２０の距離が小さくなる。第２の連結部２５と基準面部２０の距離が小さくなったときに、第１の連結部２４及び第３の連結部２６と基準面部２０の距離は変化しないため、調整面部２３が第１の線分Ｌ１を支点とするように屈曲され第２のレンズ鏡筒４が第１の線分Ｌ１を基準として第２の方向において傾斜される。
【０１７１】
逆に、第３の連結部２６と基準面部２０の間に配置されるスペーサー３７の厚み及び第１の連結部２４と基準面部２０の間に配置されるスペーサー３５の厚みより厚い厚みを有するスペーサー３６を第２の連結部２５と基準面部２０の間に配置すると、第３の連結部２６と基準面部２０の距離及び第１の連結部２４と基準面部２０の距離に対して第２の連結部２５と基準面部２０の距離が大きくなる。第２の連結部２５と基準面部２０の距離が大きくなったときに、第１の連結部２４及び第３の連結部２６と基準面部２０の距離は変化しないため、調整面部２３が第１の線分Ｌ１を支点とするように屈曲され第２のレンズ鏡筒４が第１の線分Ｌ１を基準として第２の方向において傾斜される。
【０１７２】
上記のような第１の方向及び第２の方向における光軸調整を行うことにより、第２のレンズ鏡筒４の光軸Ｐを第１のレンズ鏡筒３の光軸に平行にすることができる。
【０１７３】
尚、第２の実施の形態における撮像装置においては、調整面部２３の第３の連結部２６と基準面部２０の間にスペーサー３７が配置されているため、適宜の厚みを有するスペーサー３５、３６、３７を調整面部２３と基準面部２０の間に配置することにより光軸方向における第２のレンズ鏡筒４の位置を調整することも可能である。
【０１７４】
このように第２の実施の形態における撮像装置にあっては、調整面部２３に第３の連結部２６を設け、第３の連結部２６と基準面部２０の間にスペーサー３７を配置しているため、光軸方向における第２のレンズ鏡筒４の位置調整を行うことが可能であり、第１のレンズ鏡筒３に対する第２のレンズ鏡筒４の間の位置精度の向上を図ることができる。
【０１７５】
尚、第２の実施の形態における撮像装置においては、第１の実施の形態における変形例と同様に、調整用板金２１における調整面部２３の固定部３４の周囲に、スリット２３ｃ、切欠２３ｄ、溝部を形成してもよい。
【０１７６】
固定部３４の周囲にスリット２３ｃ、切欠２３ｄ、溝部を形成することにより、光軸調整において調整面部２３が固定部３４を支点とするように屈曲され易くなり、光軸調整を容易に行うことができる。
【０１７７】
また、固定部３４の周囲に形成されるスリット２３ｃ、切欠２３ｄ、溝部は、第１の線分Ｌ１又は第２の線分Ｌ２上に形成されることが望ましい。
【０１７８】
調整面部２３の屈曲方向は第１の方向又は第２の方向であるため、スリット２３ｃ、切欠２３ｄ、溝部が第１の線分Ｌ１又は第２の線分Ｌ２上に形成されることにより、調整面部２３の良好な屈曲性を確保することができ、光軸調整の一層の容易化を図ることができる。
【０１７９】
［第２の実施の形態の変形例に係る撮像装置の構成］
以下に、第２の実施の形態の撮像装置の変形例の構成について説明する（図１９及び図２０参照）。
【０１８０】
尚、以下に示す変形例に係る撮像装置は、第２の実施の形態における上記した撮像装置と比較して、調整面部の第３の連結部が固定部として設けられていることのみが相違するため、上記した撮像装置と比較して異なる部分についてのみ詳細に説明をし、その他の部分については上記した撮像装置における同様の部分に付した符号と同じ符号を付して説明は省略する。
【０１８１】
第１のレンズ鏡筒３の鏡筒部１０における本体部１２の一方の側面１２ａ、例えば、右側面には基準用板金１８Ａが取り付けられている。基準用板金１８Ａは左右方向を向く被取付面部１９と被取付面部１９の前端部から右方へ突出された基準面部２０Ａとから成る。
【０１８２】
基準面部２０Ａは、例えば、Ｌ字状に形成され、内周縁の一部が円弧状の切欠部２０ａとして形成されている。基準面部２０Ａの右上と左下の二つの角部にはそれぞれ連結用螺孔２０ｂ、２０ｂが形成されている。基準面部２０Ａの左上の角部には前方へ突出された円筒状の固定用ボス３３が設けられている。固定用ボス３３の内周面には前後に貫通された固定用螺孔３３ａが形成されている。
【０１８３】
第２のレンズ鏡筒４の鏡筒部１１における本体部１３の一方の側面１３ａ、例えば、右側面には調整用板金２１Ａが取り付けられている。調整用板金２１Ａは左右方向を向くベース面部２２とベース面部２２の前端部から左方へ突出された調整面部２３Ａとから成る。
【０１８４】
調整面部２３Ａは矩形状に形成され、前後に貫通された挿通孔２３ａを有している。調整面部２３Ａには、例えば、右下の角部を除く三つの角部にそれぞれネジ挿通孔２３ｂ、２３ｂ、２３ｂが形成されている。調整面部２３Ａの右側の角部は第１の連結部２４として設けられ、調整面部２３Ａの下側の角部は第２の連結部２５として設けられ、調整面部２３Ａの左上の角部は固定部３４として設けられている。
【０１８５】
第１の連結部２４に形成されたネジ挿通孔２３ｂの中心、即ち、このネジ挿通孔２３ｂに挿通されるネジ部材２７の中心と固定部３４に形成されたネジ挿通孔２３ｂの中心、即ち、このネジ挿通孔２３ｂに挿通されるネジ部材２９の中心とを結ぶ線分は第１の線分Ｌ１として形成されている。第２の連結部２５に形成されたネジ挿通孔２３ｂの中心、即ち、このネジ挿通孔２３ｂに挿通されるネジ部材２８の中心とと固定部３４に形成されたネジ挿通孔２３ｂの中心、即ち、このネジ挿通孔２３ｂに挿通されるネジ部材２９の中心とを結ぶ線分は第２の線分Ｌ２として形成されている。第１の線分Ｌ１は左右に延び第２の線分Ｌ２は上下に延び、第１の線分Ｌ１と第２の線分Ｌ２は直交する。第１の線分Ｌ１と第２の線分Ｌ２は、例えば、同じ長さにされている。
【０１８６】
調整面部２３Ａは本体部１３の前面１３ｂの前方に前面１３ｂと離隔した状態で位置されている。調整面部２３Ａの挿通孔２３ａには鏡筒部１１のレンズ保持部１５が挿入されている。
【０１８７】
基準用板金１８Ａの基準面部２０Ａは第２のレンズ鏡筒４における本体部１３の前面１３ｂと調整用板金２１Ａの調整面部２３Ａとの間に挿入される。
【０１８８】
基準面部２０Ａが本体部１３の前面１３ｂと調整用板金２１Ａの調整面部２３Ａとの間に挿入された状態においては、基準面部２０Ａの切欠部２０ａの内側に鏡筒部１１のレンズ保持部１５が位置される。また、基準面部２０Ａが前面１３ｂと調整面部２３Ａの間に挿入された状態においては、調整面部２３Ａに形成されたネジ挿通孔２３ｂ、２３ｂ、２３ｂの真後ろにそれぞれ基準面部２０Ａに形成された連結用螺孔２０ｂ、２０ｂと固定用孔３３ａが位置される。
【０１８９】
調整面部２３Ａはネジ部材２７、２８、２９によって基準面部２０Ａに連結される。
【０１９０】
ネジ部材２７、２８、２９はそれぞれ螺軸部２７ｂ、２８ｂ、２９ｂが調整面部２３Ａのネジ挿通孔２３ｂ、２３ｂ、２３ｂを挿通されてそれぞれ基準面部２０Ａの連結用螺孔２０ｂ、２０ｂと固定用孔３３ａに螺合され、調整面部２３Ａが基準面部２０Ａに連結される。このとき調整面部２３Ａの後面が基準面部２０Ａに設けられた固定用ボス３３の前面に突き当てられ、固定部３４が基準面部２０Ａに固定される。
【０１９１】
ネジ部材２７、２８、２９の螺軸部２７ｂ、２８ｂ、２９ｂがそれぞれ連結用螺孔２０ｂ、２０ｂに螺合されるときには、螺軸部２７ｂ、２８ｂがそれぞれスペーサー３５、３６に挿通され、スペーサー３５、３６はそれぞれ基準面部２０Ａと調整面部２３Ａの間に配置される。
【０１９２】
［変形例に係る撮像装置における第２のレンズ鏡筒の光軸調整］
以下に、変形例に係る撮像装置における第２のレンズ鏡筒４の光軸調整について説明する。
【０１９３】
先ず、第１の方向（Ｙａｗ方向）における光軸調整について説明する。
【０１９４】
第１の方向における光軸調整は所望の厚みを有するスペーサー３５を第１の連結部２４と基準面部２０の間に配置することにより行われる。
【０１９５】
例えば、第３の連結部２６と基準面部２０の間に配置されるスペーサー３７の厚み及び第２の連結部２５と基準面部２０の間に配置されるスペーサー３６の厚みより薄い厚みを有するスペーサー３５を第１の連結部２４と基準面部２０の間に配置すると、第３の連結部２６と基準面部２０の距離及び第２の連結部２５と基準面部２０の距離に対して第１の連結部２４と基準面部２０の距離が小さくなる。第１の連結部２４と基準面部２０の距離が小さくなったときに、第２の連結部２５及び第３の連結部２６と基準面部２０の距離は変化しないため、調整面部２３が第２の線分Ｌ２を支点とするように屈曲され第２のレンズ鏡筒４が第２の線分Ｌ２を基準として第１の方向において傾斜される。
【０１９６】
逆に、第３の連結部２６と基準面部２０の間に配置されるスペーサー３７の厚み及び第２の連結部２５と基準面部２０の間に配置されるスペーサー３６の厚みより厚い厚みを有するスペーサー３５を第１の連結部２４と基準面部２０の間に配置すると、第３の連結部２６と基準面部２０の距離及び第２の連結部２５と基準面部２０の距離に対して第１の連結部２４と基準面部２０の距離が大きくなる。第１の連結部２４と基準面部２０の距離が大きくなったときに、第２の連結部２５及び第３の連結部２６と基準面部２０の距離は変化しないため、調整面部２３が第２の線分Ｌ２を支点とするように屈曲され第２のレンズ鏡筒４が第２の線分Ｌ２を基準として第１の方向において傾斜される。
【０１９７】
次に、第２の方向（Ｐｉｔｃｈ方向）における光軸調整について説明する。
【０１９８】
第２の方向における光軸調整は所望の厚みを有するスペーサー３６を第２の連結部２５と基準面部２０の間に配置することにより行われる。
【０１９９】
例えば、第３の連結部２６と基準面部２０の間に配置されるスペーサー３７の厚み及び第１の連結部２４と基準面部２０の間に配置されるスペーサー３５の厚みより薄い厚みを有するスペーサー３６を第２の連結部２５と基準面部２０の間に配置すると、第３の連結部２６と基準面部２０の距離及び第１の連結部２４と基準面部２０の距離に対して第２の連結部２５と基準面部２０の距離が小さくなる。第２の連結部２５と基準面部２０の距離が小さくなったときに、第１の連結部２４及び第３の連結部２６と基準面部２０の距離は変化しないため、調整面部２３が第１の線分Ｌ１を支点とするように屈曲され第２のレンズ鏡筒４が第１の線分Ｌ１を基準として第２の方向において傾斜される。
【０２００】
逆に、第３の連結部２６と基準面部２０の間に配置されるスペーサー３７の厚み及び第１の連結部２４と基準面部２０の間に配置されるスペーサー３５の厚みより厚い厚みを有するスペーサー３６を第２の連結部２５と基準面部２０の間に配置すると、第３の連結部２６と基準面部２０の距離及び第１の連結部２４と基準面部２０の距離に対して第２の連結部２５と基準面部２０の距離が大きくなる。第２の連結部２５と基準面部２０の距離が大きくなったときに、第１の連結部２４及び第３の連結部２６と基準面部２０の距離は変化しないため、調整面部２３が第１の線分Ｌ１を支点とするように屈曲され第２のレンズ鏡筒４が第１の線分Ｌ１を基準として第２の方向において傾斜される。
【０２０１】
上記のような第１の方向及び第２の方向における光軸調整を行うことにより、第２のレンズ鏡筒４の光軸Ｐを第１のレンズ鏡筒３の光軸に平行にすることができる。
【０２０２】
変形例に係る撮像装置においては、上記したように、調整面部２３Ａの固定部３４と基準面部２０Ａの間にスペーサーが配置されないため、部品点数を削減した上で第２のレンズ鏡筒４の光軸調整を行うことができる。
【０２０３】
尚、変形例に係る撮像装置においては、第１の実施の形態における変形例と同様に、調整用板金２１Ａにおける調整面部２３Ａの固定部３４の周囲に、スリット２３ｃ、切欠２３ｄ、溝部を形成してもよい。
【０２０４】
固定部３４の周囲にスリット２３ｃ、切欠２３ｄ、溝部を形成することにより、光軸調整において調整面部２３Ａが固定部３４を支点とするように屈曲され易くなり、光軸調整を容易に行うことができる。
【０２０５】
また、固定部３４の周囲に形成されるスリット２３ｃ、切欠２３ｄ、溝部は、第１の線分Ｌ１又は第２の線分Ｌ２上に形成されることが望ましい。
【０２０６】
調整面部２３Ａの屈曲方向は第１の方向又は第２の方向であるため、スリット２３ｃ、切欠２３ｄ、溝部が第１の線分Ｌ１又は第２の線分Ｌ２上に形成されることにより、調整面部２３Ａの良好な屈曲性を確保することができ、光軸調整の一層の容易化を図ることができる。
【０２０７】
［第２の実施の形態における撮像装置の効果］
上記した第２の実施の形態においては、調整手段として複数のネジ部材２７、２８、２９と複数のスペーサー３５、３６、３７とを設けている。
【０２０８】
従って、簡素な構成によって第２のレンズ鏡筒４の光軸調整を行うことができ、製造コストの高騰を来たすことなく第２のレンズ鏡筒４の光軸調整を行うことができる。
【０２０９】
尚、第２の実施の形態においては、調整手段として略Ｕ字状のスペーサー３５、３６、３７を設けているため、落下等による衝撃等のよってスペーサー３５、３６、３７が脱落するおそれがある。
【０２１０】
そこで、スペーサー３５、３６、３７の基準面部２０、２０Ａや調整面部２３、２３Ａと接触する面に網状等の凹凸を形成して摩擦力を高め、衝撃の発生時等におけるスペーサー３５、３６、３７の脱落を防止するようにしてもよい。また、逆に、基準面部２０、２０Ａや調整面部２３、２３Ａのスペーサー３５、３６、３７と接触する面に網状等の凹凸を形成して摩擦力を高め、衝撃の発生時等におけるスペーサー３５、３６、３７の脱落を防止するようにしてもよい。
【０２１１】
［第２の実施の形態におけるその他の構成］
上記した第２の実施の形態においては、調整手段としてスペーサー３５、３６、３７を用いているが、このスペーサー３５、３６、３７の前面又は後面を傾斜面３５ａ、３６ａ、３７ａとしてもよい（図２１参照）。尚、図２１には、例として、傾斜面３６ａ、３７ａをそれぞれ有するスペーサー３６、３７のみを示す。
【０２１２】
スペーサー３５、３６、３７の前面又は後面を傾斜面３５ａ、３６ａ、３７ａとすることにより、光軸調整したときの調整面部２３、２３Ａの傾斜角度に傾斜面３５ａ、３６ａ、３７ａが沿うようにスペーサー３５、３６、３７を配置することが可能となる。
【０２１３】
従って、調整面部２３、２３Ａとスペーサー３５、３６、３７に対する負荷が軽減され、調整面部２３、２３Ａとスペーサー３５、３６、３７の安定した配置状態を確保することができる。
【０２１４】
［その他］
上記には、基準用板金１８、１８Ａを第１のレンズ鏡筒３に取り付け、調整用板金２１、２１Ａを第２のレンズ鏡筒４に取り付けた例を示したが、例えば、基準用板金１８、１８Ａを第１のレンズ鏡筒３と一体に形成し、調整用板金２１、２１Ａを第２のレンズ鏡筒４と一体に形成することも可能である。
【０２１５】
このように基準用板金１８、１８Ａを第１のレンズ鏡筒３と一体に形成し、調整用板金２１、２１Ａを第２のレンズ鏡筒４と一体に形成することにより、部品点数の削減による製造コストの低減を図ることができる。
【０２１６】
また、上記には、第２のレンズ鏡筒４の前方に基準面部２０、２０Ａと調整面部２３、２３Ａとが配置された例を示したが、基準面部２０、２０Ａと調整面部２３、２３Ａは第２のレンズ鏡筒４の後方に配置されていてもよい。
【０２１７】
さらに、基準用板金１８、１８Ａ及び調整用板金２１、２１Ａを第１のレンズ鏡筒３と第２のレンズ鏡筒４に生じる熱を外部へ放出するための放熱板としても機能させることが可能である。
【０２１８】
［まとめ］
以上に記載した通り、第１の実施の形態における撮像装置及び第２の実施の形態における撮像装置にあっては、第１のレンズ鏡筒３と、第１のレンズ鏡筒３と並ぶ第２のレンズ鏡筒４と、基準面部２０、２０Ａを有する基準用板金１８、１８Ａと、調整面部２３、２３Ａを有する調整用板金２１と、光軸調整を行う調整手段とを備えている。
【０２１９】
従って、基準面部２０、２０Ａに対する調整面部２３、２３Ａの向きを変化させて第２のレンズ鏡筒４の光軸の向きを調整するため、光軸調整を簡素な調整機構によって行うことができ、製造コストの高騰を来たすことなく画質の向上を図ることができる。
【０２２０】
また、基準用板金１８と調整用板金２１がそれぞれ第１のレンズ鏡筒３の本体部１２の側面１２ａと第２のレンズ鏡筒４の本体部１３の側面１３ａとに取り付けられるため、第１のレンズ鏡筒３と第２のレンズ鏡筒４を同一のものを用いることができ、製造コストの低減を図ることができる。
【０２２１】
さらに、第１の線分Ｌ１と第２の線分Ｌ２が直交するため、第１の方向における光軸調整が第２の方向における光軸調整に干渉せず、第２の方向における光軸調整が第１の方向における光軸調整に干渉しないため、光軸調整における相互干渉を回避して光軸調整の精度の向上を図ることができる。
【０２２２】
さらにまた、第１の線分Ｌ１の長さと第２の線分Ｌ２の長さを同じにすることにより、第１の方向における光軸調整と第２の方向における光軸調整とに関して調整量に対する光軸の変化量が同じになり、光軸調整の容易化を図ることができる。
【０２２３】
［撮像装置の一実施形態］
図２２に、本発明撮像装置の一実施形態によるビデオカメラのブロック図を示す。
【０２２４】
撮像装置（ビデオカメラ）１００は、撮像機能を担うカメラブロック４０と、撮影された画像信号のアナログ−デジタル変換等の信号処理を行うカメラ信号処理部４１と、画像信号の記録再生処理を行う画像処理部４２とを有している。また、撮像装置１００は、撮影された画像等を表示する液晶パネル等の画像表示部４３と、メモリーカード１０００への画像信号の書込及び読出を行うＲ／Ｗ（リーダ／ライタ）４４と、撮像装置の全体を制御するＣＰＵ（Central Processing Unit）４５と、ユーザーによって所要の操作が行われる各種のスイッチ等から成る入力部４６と、カメラブロック４０に配置されたレンズの駆動を制御するレンズ駆動制御部４７とを備えている。
【０２２５】
カメラブロック４０は、レンズ群４８を含む光学系や、ＣＣＤ（Charge Coupled Device）やＣＭＯＳ（Complementary Metal-Oxide Semiconductor）等の撮像素子４９等とによって構成されている。
【０２２６】
カメラ信号処理部４１は、撮像素子４９からの出力信号に対するデジタル信号への変換、ノイズ除去、画質補正、輝度・色差信号への変換等の各種の信号処理を行う。
【０２２７】
画像処理部４２は、所定の画像データーフォーマットに基づく画像信号の圧縮符号化・伸張復号化処理や解像度等のデーター仕様の変換処理等を行う。
【０２２８】
画像表示部４３はユーザーの入力部４６に対する操作状態や撮影した画像等の各種のデーターを表示する機能を有している。
【０２２９】
Ｒ／Ｗ４４は、画像処理部４２によって符号化された画像データーのメモリーカード１０００への書込及びメモリーカード１０００に記録された画像データーの読出を行う。
【０２３０】
ＣＰＵ４５は、撮像装置１００に設けられた各回路ブロックを制御する制御処理部として機能し、入力部４６からの指示入力信号等に基づいて各回路ブロックを制御する。
【０２３１】
入力部４６は、例えば、シャッター操作を行うためのシャッターレリーズボタンや、動作モードを選択するための選択スイッチ等によって構成され、ユーザーによる操作に応じた指示入力信号をＣＰＵ４５に対して出力する。
【０２３２】
レンズ駆動制御部４７は、ＣＰＵ４５からの制御信号に基づいてレンズ群４８の各レンズを駆動する図示しないモータ等を制御する。
【０２３３】
メモリーカード１０００は、例えば、Ｒ／Ｗ４４に接続されたスロットに対して着脱可能な半導体メモリーである。
【０２３４】
以下に、撮像装置１００における動作を説明する。
【０２３５】
撮影の待機状態では、ＣＰＵ４５による制御の下で、カメラブロック４０において撮影された画像信号が、カメラ信号処理部４１を介して画像表示部４３に出力され、カメラスルー画像として表示される。また、入力部４６からのズーミングのための指示入力信号が入力されると、ＣＰＵ４５がレンズ駆動制御部４７に制御信号を出力し、レンズ駆動制御部４７の制御に基づいてレンズ群４８の所定のレンズが移動される。
【０２３６】
入力部４６からの指示入力信号によりカメラブロック４０の図示しないシャッターが動作されると、撮影された画像信号がカメラ信号処理部４１から画像処理部４２に出力されて圧縮符号化処理され、所定のデーターフォーマットのデジタルデーターに変換される。変換されたデーターはＲ／Ｗ４４に出力され、メモリーカード１０００に書き込まれる。
【０２３７】
尚、フォーカシングは、ＣＰＵ４５からの制御信号に基づいてレンズ駆動制御部４７がレンズ群４８の所定のレンズを移動させることにより行われる。
【０２３８】
メモリーカード１０００に記録された画像データーを再生する場合には、入力部４６に対する操作に応じて、Ｒ／Ｗ４４によってメモリーカード１０００から所定の画像データーが読み出され、画像処理部４２によって伸張復号化処理が行われた後、再生画像信号が画像表示部４３に出力されて再生画像が表示される。
【０２３９】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０２４０】
【図１】図２乃至図２２と共に本発明の最良の形態を示すものであり、本図は、撮像装置の概略斜視図である。
【図２】第１のレンズ鏡筒と第２のレンズ鏡筒を分離して示す斜視図である。
【図３】第１のレンズ鏡筒と第２のレンズ鏡筒が基準用板金と調整用板金によって結合された状態を示す斜視図である。
【図４】第１のレンズ鏡筒と第２のレンズ鏡筒等を一部を断面にして上方、前方及び側方から見た状態で示す図である。
【図５】第１の方向における光軸調整が行われている状態を一部を断面にして示す拡大平面図である。
【図６】第１の方向における光軸調整が図５とは異なる方向において行われている状態を一部を断面にして示す拡大平面図である。
【図７】第２の方向における光軸調整が行われている状態を一部を断面にして示す拡大平面図である。
【図８】第２の方向における光軸調整が図７とは異なる方向において行われている状態を一部を断面にして示す拡大平面図である。
【図９】図１０乃至図１５と共に第１の実施の形態における変形例を示すものであり、本図は、第１のレンズ鏡筒と第２のレンズ鏡筒を分離して示す斜視図である。
【図１０】第１のレンズ鏡筒と第２のレンズ鏡筒等を一部を断面にして上方、前方及び側方から見た状態で示す図である。
【図１１】第１の方向における光軸調整が行われている状態を一部を断面にして示す拡大平面図である。
【図１２】第１の方向における光軸調整が図１１とは異なる方向において行われている状態を一部を断面にして示す拡大平面図である。
【図１３】第２の方向における光軸調整が行われている状態を一部を断面にして示す拡大平面図である。
【図１４】第２の方向における光軸調整が図１３とは異なる方向において行われている状態を一部を断面にして示す拡大平面図である。
【図１５】固定部の周囲にスリットと切欠が形成された例を示す拡大正面図である。
【図１６】図１７及び図１８と共に第２の実施の形態を示すものであり、本図は、第１のレンズ鏡筒と第２のレンズ鏡筒を分離して示す斜視図である。
【図１７】第１のレンズ鏡筒と第２のレンズ鏡筒が基準用板金と調整用板金によって結合された状態を示す斜視図である。
【図１８】第１のレンズ鏡筒と第２のレンズ鏡筒等を一部を断面にして上方、前方及び側方から見た状態で示す図である。
【図１９】図２０と共に第２の実施の形態における変形例を示すものであり、本図は、第１のレンズ鏡筒と第２のレンズ鏡筒を分離して示す斜視図である。
【図２０】第１のレンズ鏡筒と第２のレンズ鏡筒等を一部を断面にして上方、前方及び側方から見た状態で示す図である。
【図２１】傾斜面を有するスペーサーが配置された例を一部を断面にして示す側面図である。
【図２２】撮像装置のブロック図である。
【符号の説明】
【０２４１】
１…撮像装置、３…第１のレンズ鏡筒、４…第２のレンズ鏡筒、１８…基準用板金、１９…被取付面部、２０…基準面部、２１…調整用板金、２２…ベース面部、２３…調整面部、２４…第１の連結部、２５…第２の連結部、２６…第３の連結部、２７…ネジ部材、２８…ネジ部材、２９…ネジ部材、３０…バネ部材、３１…バネ部材、３２…バネ部材、１８Ａ…基準用板金、２０Ａ…基準面部、２１Ａ…調整用板金、２３Ａ…調整面部、３４…固定部、２３ｃ…スリット、２３ｄ…切欠、３５…スペーサー、３６…スペーサー、３７…スペーサー、１００…撮像装置
【図１】
0005810526.tif 000002
【図２】
0005810526.tif 000003
【図３】
0005810526.tif 000004
【図４】
0005810526.tif 000005
【図５】
0005810526.tif 000006
【図６】
0005810526.tif 000007
【図７】
0005810526.tif 000008
【図８】
0005810526.tif 000009
【図９】
0005810526.tif 000010
【図１０】
0005810526.tif 000011
【図１１】
0005810526.tif 000012
【図１２】
0005810526.tif 000013
【図１３】
0005810526.tif 000014
【図１４】
0005810526.tif 000015
【図１５】
0005810526.tif 000016
【図１６】
0005810526.tif 000017
【図１７】
0005810526.tif 000018
【図１８】
0005810526.tif 000019
【図１９】
0005810526.tif 000020
【図２０】
0005810526.tif 000021
【図２１】
0005810526.tif 000022
【図２２】
0005810526.tif 000023